(57)【特許請求の範囲】
【請求項１】
文字を入力する入力部と、
複数の絵文字と、前記絵文字のグループ名とを記録する絵文字記録部と、
前記グループ名の中から、前記入力文字を含むグループ名を抽出する抽出部と、
前記入力部に入力された入力文字を第一表示領域に表示し、前記抽出部により抽出されたグループ名を第二表示領域に表示する表示部と、を備え、
前記表示部は、前記第二表示領域に表示されたグループ名のうち少なくとも一つが選択された場合、選択されたグループ名のグループに含まれる絵文字の一覧を前記第二表示領域に表示し、前記第二表示領域に表示された絵文字のうち少なくとも一つが選択された場合、選択された絵文字を、前記第一表示領域に、前記入力文字と置換して表示し、
前記グループ名は、絵文字を含むことを特徴とする文字入力装置。
【請求項２】
前記絵文字記録部に記録されていない未登録絵文字を取得する絵文字取得部を更に備え、
前記絵文字記録部は、前記絵文字取得部が取得した前記未登録絵文字を記録することを特徴とする、請求項１に記載の文字入力装置。
【請求項３】
前記絵文字記録部は、前記グループ名をフォルダ名とするフォルダを格納し、
前記フォルダは、前記フォルダ名に対応するグループに含まれる絵文字を格納し、
前記表示部は、所定のユーザ操作に基づいて、前記フォルダを表示することを特徴とする、請求項１または２に記載の文字入力装置。
【請求項４】
前記フォルダ名及び前記フォルダに格納される絵文字の種類は編集可能であり、
前記グループ名及び前記グループに含まれる絵文字の種類は、前記フォルダ名及び前記フォルダに格納される絵文字の種類は編集に対応して変更することを特徴とする請求項１乃至３の何れか一項に記載の文字入力装置。
【請求項５】
複数の用語を記録する用語記録部と、を更に備え、
前記抽出部は、前記入力文字から予測される変換用語である予測変換用語を前記用語記録部から抽出し、
前記表示部は、前記抽出部により抽出された前記グループ名と前記予測変換用語とをそれぞれ、前記第二表示領域に表示することを特徴とする請求項１乃至４の何れか一項に記載の文字入力装置。
【請求項６】
文字を入力する入力工程と、
複数の絵文字と、前記絵文字のグループ名とを記録する絵文字記録工程と、
前記グループ名の中から、前記入力工程で入力された入力文字を含むグループ名を抽出する抽出工程と、
前記入力文字を第一表示領域に表示し、前記抽出工程により抽出されたグループ名を第二表示領域に表示する第一の表示工程と、
前記第二表示領域に表示されたグループ名のうち少なくとも一つが選択された場合、選択されたグループ名のグループに含まれる絵文字の一覧を前記第二表示領域に表示する第二の表示工程と、
前記第二表示領域に表示された絵文字のうち少なくとも一つが選択された場合、選択された絵文字を、前記第一表示領域に、前記入力文字と置換して表示する第三の表示工程と、前記グループ名に絵文字を含ませる工程を有することを特徴とする文字入力方法。
【請求項７】
文字を入力する入力工程と、
複数の絵文字と、前記絵文字のグループ名とを記録する絵文字記録工程と、
前記グループ名の中から、前記入力工程で入力された入力文字を含むグループ名を抽出する抽出工程と、
前記入力文字を第一表示領域に表示し、前記抽出工程により抽出されたグループ名を第二表示領域に表示する第一の表示工程と、
前記第二表示領域に表示されたグループ名のうち少なくとも一つが選択された場合、選択されたグループ名のグループに含まれる絵文字の一覧を前記第二表示領域に表示する第二の表示工程と、
前記第二表示領域に表示された絵文字のうち少なくとも一つが選択された場合、選択された絵文字を、前記第一表示領域に、前記入力文字と置換して表示する第三の表示工程と、前記グループ名に絵文字を含ませる工程をコンピュータに実行させることを特徴とするプログラム。
【請求項８】
請求項７に記載のプログラムを記録する記録媒体。
【発明の詳細な説明】
【技術分野】
【０００１】
本発明は、絵文字などの特殊文字を入力可能な文字入力装置及び文字入力方法及びプログラムに関する。
【背景技術】
【０００２】
携帯電話などの通信端末によって、絵文字や画像により装飾したメールの送受信を行うことが一般的に行われている。このようなメールの種類として、画像を挿入してメール本文全体を装飾するＨＴＭＬ（Ｈｙｐｅｒ  Ｔｅｘｔ  Ｍａｒｋｕｐ  Ｌａｎｇｕａｇｅ）メールが挙げられる。しかしながら、ＨＴＭＬメールの場合、メール本文全体を装飾することになるため、一文ごと、あるいは単語ごとに個別に装飾を行うことは出来ない。そのため、メール本文内の所望の箇所に絵文字を挿入することで、メールを装飾することが一般的に主流となっている。
【０００３】
絵文字をメールの文中に挿入する方法として、絵文字専用の入力モードから絵文字の一覧を呼び出し、該一覧から所望の絵文字を選択するという方法がある。しかしながら、この場合、ユーザは絵文字専用の入力モードに切り替える操作をする必要がある。更に、絵文字の種類が多い場合、絵文字の一覧が表示されてからユーザが所望の絵文字を見つけるまでに時間が掛かってしまう。
【０００４】
メールに挿入する絵文字の検索あるいは挿入の仕方に関する技術が例えば特許文献１及び特許文献２に記載されている。
【０００５】
特許文献１に記載の携帯端末は、絵文字の検索プログラムを起動することで、絵文字のグループ名が表示される。そして、ユーザがいずれかのグループ名を選択することで、選択したグループに属する絵文字の一覧が表示され、ユーザは所望の絵文字を選択することができる。
【０００６】
特許文献２に記載の携帯端末は、ユーザが絵文字キーを押下すると共に絵文字のジャンル名を入力すると、該ジャンル名に対応する絵文字のフォルダに含まれる絵文字が表示される。そして、ユーザは、表示された絵文字の中から、所望の絵文字を選択することができる。
【先行技術文献】
【特許文献】
【０００７】
【特許文献１】特開２００５−０３２２０４号公報
【特許文献２】特開平１−２１６４６１号公報
【発明の概要】
【発明が解決しようとする課題】
【０００８】
しかしながら、特許文献１に記載の携帯端末において所望の絵文字を検索するためには、絵文字専用の検索プログラムを起動させた後に絵文字のグループ名を選択しなければならないため、ユーザ操作が複雑となってしまう。また、特許文献２に記載の携帯端末においても、特定のジャンルの絵文字を表示させるためには、絵文字専用のキーを押下した上でジャンル名を入力しなければならず、やはりユーザ操作が複雑となってしまう。
【０００９】
本発明は、このような問題に鑑みて、簡易なユーザ操作で、文書中に所望の絵文字を挿入することが可能な文字入力装置を提供することを目的とする。
【課題を解決するための手段】
【００１０】
本発明の文字入力装置は、文字を入力する入力部と、複数の絵文字と、絵文字のグループ名とを記録する絵文字記録部と、グループ名の中から、入力文字を含むグループ名を抽出する抽出部と、入力部に入力された入力文字を第一表示領域に表示し、抽出部により抽出されたグループ名を第二表示領域に表示する表示部と、を備え、表示部は、第二表示領域に表示されたグループ名のうち少なくとも一つが選択された場合、選択されたグループ名のグループに含まれる絵文字の一覧を第二表示領域に表示し、第二表示領域に表示された絵文字のうち少なくとも一つが選択された場合、選択された絵文字を、第一表示領域に、入力文字と置換して表示する。
【００１１】
本発明の文字入力方法は、文字を入力する入力工程と、複数の絵文字と、絵文字のグループ名とを記録する絵文字記録工程と、グループ名の中から、入力工程で入力された入力文字を含むグループ名を抽出する抽出工程と、入力文字を第一表示領域に表示し、抽出工程により抽出されたグループ名を第二表示領域に表示する第一の表示工程と、第二表示領域に表示されたグループ名のうち少なくとも一つが選択された場合、選択されたグループ名のグループに含まれる絵文字の一覧を第二表示領域に表示する第二の表示工程と、第二表示領域に表示された絵文字のうち少なくとも一つが選択された場合、選択された絵文字を、第一表示領域に、入力文字と置換して表示する第三の表示工程と、を有する。
【００１２】
本発明のプログラムは、文字を入力する入力工程と、複数の絵文字と、絵文字のグループ名とを記録する絵文字記録工程と、グループ名の中から、入力工程で入力された入力文字を含むグループ名を抽出する抽出工程と、入力文字を第一表示領域に表示し、抽出工程により抽出されたグループ名を第二表示領域に表示する第一の表示工程と、第二表示領域に表示されたグループ名のうち少なくとも一つが選択された場合、選択されたグループ名のグループに含まれる絵文字の一覧を第二表示領域に表示する第二の表示工程と、第二表示領域に表示された絵文字のうち少なくとも一つが選択された場合、選択された絵文字を、第一表示領域に、入力文字と置換して表示する第三の表示工程と、をコンピュータに実行させる。
【発明の効果】
【００１３】
本発明の文字入力装置は、簡易なユーザ操作で、文書中に所望の絵文字を挿入することが可能である。
【図面の簡単な説明】
【００１４】
【図１】本発明の第１の実施形態における文字入力装置の構成の一例を示す。
【図２】本発明に第１の実施形態における表示部による表示の一例を示す。
【図３】本発明に第１の実施形態における表示部による表示の他の例を示す。
【図４】本発明の第１の実施形態における絵文字記録部に記録された情報の一例を示す。
【図５】本発明の第２の実施形態における文字入力装置の構成の一例を示す。
【図６】本発明に第２の実施形態における表示部による表示の一例を示す。
【図７】本発明の第２の実施形態における絵文字記録部に記録された情報の一例を示す。
【図８】本発明の第２の実施形態における文字入力装置の動作の一例を示す。
【図９】本発明に関連する実施形態における表示部による表示の一例を示す。
【図１０】本発明の第３の実施形態における絵文字記録部に記録されたフォルダ構成の一例を示す。
【図１１】本発明の第３の実施形態における絵文字記録部に記録されたフォルダ構成の他の例を示す。
【図１２】本発明の第４の実施形態における文字入力装置の構成の一例を示す。
【図１３】本発明の第４の実施形態における表示部による表示の一例を示す。
【発明を実施するための形態】
【００１５】
本発明の実施の形態について図面を参照しながら説明する。しかしながら、係る形態は本発明の技術的範囲を限定するものではない。
【００１６】
［第１の実施形態］
本発明の第１の実施形態における文字入力装置の構成について、図１を用いて説明する。
【００１７】
図１に記載の文字入力装置１０は、入力部１１と、絵文字記録部１２と、抽出部１３と、表示部１４とを備える。
【００１８】
入力部１１は、ユーザ操作により文字や記号を入力する。絵文字記録部１２は、複数の絵文字と、該絵文字のグループ名を記録する。抽出部１３は、絵文字記録部１２に記録された絵文字のグループ名の中から、入力部１１に入力された入力文字を含むグループ名を抽出する。表示部１４は、入力部１１に入力された入力文字を第一表示領域に表示する。第一表示領域とは、ユーザが作成する文書の内容を表示する領域である。また、表示部１４は、抽出部１３により抽出されたグループ名を第二表示領域に表示する。第二表示領域とは、ユーザが作成する文書に挿入する文字あるいは絵文字の候補を表示する領域である。
【００１９】
表示部１４は、第二表示領域に表示されたグループ名のうち少なくとも一つが選択された場合、選択されたグループ名のグループに含まれる絵文字の一覧を第二表示領域に表示する。更に、表示部１４は、第二表示領域に表示された絵文字のうち少なくとも一つが選択された場合、選択された絵文字を、第一表示領域に、入力文字と置換して表示する。
【００２０】
これにより、ユーザが作成する文書への絵文字の挿入が完了する。
【００２１】
次に、本実施形態の文字入力装置１０の動作の詳細な一例について図２乃至図４を用いて説明する。
【００２２】
初めに、ユーザが文字入力装置１０を用いて文書を作成するために、入力部１１に文字を入力する。この時、ユーザが、「おはよう」という文字を文書への挿入文字として確定した後、「はーと」という文字を入力したとする。
【００２３】
表示部１４は、入力部１１に入力された文字を第一表示領域に表示する。この時、ユーザ入力した「はーと」という文字は、第一表示領域に表示されるものの、文書に挿入する文字としては確定していない。図２（ａ）は、ユーザが「はーと」を入力する途中の表示部１４による表示の一例を示す。なお、本実施形態における第一表示領域は、図２に示すように、「本文入力」と「予測変換候補」との間の領域を示す。
【００２４】
抽出部１３は、絵文字記録部１２に記録された絵文字のグループ名の中から、「はーと」というグループ名を検索する。本実施形態における絵文字記録部１２に記録された絵文字及び該絵文字のグループ名を図４に示す。
【００２５】
図４に示すように、本実施形態における絵文字記録部１２には「はーと」というグループ名が記録されているため、抽出部１３は、該「はーと」というグループ名を抽出する。そして、表示部１４は、抽出部１３が抽出したグループ名を第二表示領域に表示する。この時の表示部１４による表示の例を図２（ｂ）に示す。なお、本実施形態における第二表示領域は、図２に示すように、「予測変換候補」よりも下の領域を示す。
【００２６】
次に、ユーザが第二表示領域に表示された「はーと」を選択する操作を行うと、表示部１４は、「はーと」のグループに含まれる絵文字の一覧を第二表示領域に表示する。この時の表示部１４による表示の例を図２（ｃ）に示す。
【００２７】
そして、ユーザが、第二表示領域に表示された絵文字の中から所望の絵文字を選択する操作を行うと、図２（ｄ）に示すように、選択された絵文字が第一表示領域に表示される。この時、選択された絵文字は、第一表示領域に表示されていた「はーと」という入力文字と置換して表示される。これにより、ユーザが作成する文書中に、絵文字の挿入が完了する。
【００２８】
なお、本実施形態においては、ユーザが「はーと」と入力した場合に、抽出部１３が絵文字記録部１２から「はーと」というグループ名を抽出することとしたが、これに限らない。すなわち、入力部１１に入力された入力文字と完全に一致するグループ名だけでなく、入力文字を含むグループ名を抽出することとしても良い。例えば、ユーザが「はー」という文字を入力すると、抽出部１３は「はー」を含むグループ名である「はーと」を抽出することとしても良い。これにより、ユーザがグループ名を全て入力しなくとも、第二表示領域に絵文字のグループ名が表示されることになる。この場合の表示部１４による表示の例を図３（ａ）に示す。そして、図３（ａ）において第二表示領域に表示された「はーと」をユーザが選択すると、図３（ｂ）に示すように、「はーと」のグループに含まれる絵文字の一覧が表示される。そして、表示された絵文字の一覧から、ユーザが所望の絵文字を選択すると、図３（ｃ）に示すように、選択された絵文字が第一表示領域に表示される。これにより、ユーザが作成する文書中への絵文字の挿入が完了する。
【００２９】
一方、絵文字記録部１２に、入力文字を含むグループ名が記録されていなければ、いずれのグループ名も、第二表示領域に表示されない。また、第二表示領域にグループ名が表示されたとしても、表示されたグループ名をユーザが選択しなければ、第二表示領域に絵文字が表示されることはない。すなわち、ユーザは、第二表示領域に表示されたグループ名を選択せずに文字の入力を連続して行うことも可能である。例えば、ユーザが「はー」を入力した後、第二表示領域に表示された「はーと」を選択することなく、「ど」を入力した場合には、第一表示領域には「はーど」と表示される。そして、第二表示領域からは「はーと」の表示が消える。
【００３０】
以上のように、本実施形態においては、文書作成中に絵文字のグループ名に含まれる文字を入力すると、該グループ名が第二表示領域に表示される。そして、表示されたグループ名を選択すると、選択されたグループ名のグループに含まれる絵文字の一覧が表示される。
【００３１】
これにより、ユーザは所望の絵文字を選択することができる。すなわち、ユーザは、文中に絵文字を挿入したい場合に、絵文字専用のプログラムを起動させる操作や、絵文字専用のキーを押下する必要はない。また、絵文字の種類が多い場合でも、特定のグループに含まれる絵文字の一覧のみを表示させることができるので、全ての絵文字の一覧を表示する場合と比較して、ユーザが所望の絵文字を見つけやすい。そのため、本実施形態における文字入力装置１０は、簡易なユーザ操作で、文書中に所望の絵文字を挿入することが可能となる。また、ユーザは、絵文字を挿入する意思がなければ、そのまま文字の入力を継続することもできる。
【００３２】
なお、本実施形態において、文字入力装置１０が更に備える制御部が、バスを介して、文字入力装置１０の各構成部位を制御する構成としても良い。また、制御部自体が文字入力装置１０の各構成部位の動作、例えば抽出部１３の動作を行うこととしても良い。
【００３３】
このように、制御部が文字入力装置の各構成部位の制御を行う構成としても良いことは、後述する全ての実施形態においても同様である。
【００３４】
［第２の実施形態］
次に、本発明の第２の実施形態における文字入力装置の構成について、図５を用いて説明する。
【００３５】
本実施形態における文字入力装置２０は、第一実施形態における文書入力装置１０に用語記録部１５が追加された構造を備える。
【００３６】
入力部１１は、ユーザ操作により文字や記号を入力する。絵文字記録部１２は、複数の絵文字と、該絵文字のグループ名を記録する。用語記録部１５は、複数の用語を記録する。抽出部１３は、絵文字記録部１２に記録された絵文字のグループ名の中から、入力部１１に入力された入力文字を含むグループ名を抽出する。更に、抽出部１３は、入力部１１に入力された入力文字から予測される用語である予測変換用語を用語記録部１５から抽出する。
【００３７】
表示部１４は、入力部１１に入力された入力文字を第一表示領域に表示する。また、表示部１４は、抽出部１３により抽出されたグループ名と予測変換用語とを第二表示領域に表示する。なお、本実施形態における第一表示領域及び第二表示領域の定義は、第１の実施形態と同様である。
【００３８】
表示部１４は、第二表示領域に表示されたグループ名のうち少なくとも一つが選択された場合、選択されたグループ名のグループに含まれる絵文字の一覧を第二表示領域に表示する。そして、表示部１４は、第二表示領域に表示された絵文字のうち少なくとも一つが選択された場合、選択された絵文字を、第一表示領域に、入力文字と置換して表示する。
【００３９】
これにより、ユーザが作成する文書への絵文字の挿入が完了する。
【００４０】
次に、本実施形態の文字入力装置２０の動作の詳細について図６及び図７を用いて説明する。
【００４１】
初めに、ユーザが文字入力装置２０を用いて文書を作成するために、入力部１１に文字を入力する。この時、ユーザが、「おはよう」という文字を文書への挿入文字として確定した後、「お」という文字を入力したとする。表示部１４は、入力部１１に入力された入力文字を第一表示領域に表示する。
【００４２】
一方、抽出部１３は、入力文字である「お」から予測される予測変換用語を用語記録部１５から抽出する。具体的には、例えば、用語記録部１５に記録された用語にはそれぞれ読み仮名が割り当てられている。そして、抽出部１３は、入力文字である「お」を検索子として、「お」から始まる読み仮名が割り当てられている用語、例えば「おはよう」、「俺」、「音楽」、「温度」などを抽出する。
【００４３】
また、抽出部１３は、入力文字である「お」を含むグループ名を絵文字記録部１２から抽出する。
【００４４】
本実施形態における、絵文字記録部１２に記録された絵文字及びそのグループ名を、図７に示す。図７に示すように、本実施形態におけるグループ名は、グループに含まれる絵文字に関連する絵文字を含む。例えば音符に関連する絵文字が属するグループのグループ名は、音符の絵文字を含む。
【００４５】
そして、表示部１４は、抽出部１３が抽出した予測変換用語及びグループ名を、第二表示領域に表示する。この時の表示部１４の表示を図６（ａ）に示す。
【００４６】
ここで、第二表示領域に表示されるグループ名及び予測変換用語の順序は、抽出部１３により所定の条件に基づいて決定されることとしても良い。例えば、抽出部１３は、用語記録部１５に記録された用語及び絵文字記録部１２に記録された絵文字のグループ名を、過去にユーザが選択した回数の多い順に優先付けておくこととしても良い。そして、表示部１４は、抽出部１３が抽出した予測変換用語及び絵文字のグループ名を、抽出部１３により優先付けられた順序で表示することとしても良い。
【００４７】
次に、ユーザが、第二表示領域に表示された予測変換用語とグループ名の中から、グループ名を選択すると、表示部１４は、選択されたグループ名のグループに含まれる絵文字の一覧を表示する。例えば、ユーザが、図６（ｂ）に示すように、第二表示領域に表示された「おんぷ♪」というグループ名を選択すると、図６（ｃ）に示すように、「おんぷ♪」のグループに含まれる絵文字の一覧が第二表示領域に表示される。
【００４８】
そして、ユーザが第二表示領域に表示された絵文字の一覧から、いずれかの絵文字を選択すると、図６（ｄ）に示すように、選択された絵文字が第一表示領域に表示される。この時、選択された絵文字は、第一表示領域に表示されていた「お」という入力文字に置換して表示される。これにより、ユーザが作成する文書への絵文字の挿入が完了する。そして、絵文字の挿入が完了すると、表示部１４は第二表示領域に表示していた予測変換用語及びグループ名の表示を終了する。
【００４９】
一方、ユーザが図６（ｂ）において絵文字のグループ名を選択せず、予測変換用語である「音楽」を選択したとする。この場合、表示部１４は、第一表示領域に表示された入力文字に置換して「音楽」を表示する。そして、第二表示領域に表示されていた予測変換用語及びグループ名の表示を終了する。
【００５０】
ここで、本実施形態における文書入力装置２０を用いた文書作成時において、ユーザが文字を入力してから、文書に挿入する文字あるいは絵文字を確定するまでのより具体的な動作の一例について、図８を用いて説明する。
【００５１】
初めに、ユーザ操作に基づき、文書を作成するための文字入力機能、例えばメールの作成機能が起動する（ステップ１）。
【００５２】
そして、ユーザにより最初の一文字目が入力されると（ステップ２）、抽出部１３は、入力された文字を含む絵文字のグループ名、及び、入力された文字から予測される予測変換用語を検索する（ステップ３）。なお、ステップ２においてユーザが複数の文字数を入力しないと、ステップ３へ移行しないこととしても良い。
【００５３】
そして、抽出部１３が絵文字のグループ名あるいは予測変換用語を少なくとも１つ抽出した場合（ステップ４においてＹＥＳ）、表示部１４は、抽出したグループ名及び予測変換用語を第二表示領域に表示する（ステップ５）。一方、抽出部１３がいずれのグループ名及び予測変換用語も抽出しなかった場合には（ステップ４においてＮＯ）、表示部１４は第二表示領域に何も表示しない。この場合、ユーザが確定操作を行うと、第一表示領域に表示されている入力文字が、文書に挿入する文字として確定する（ステップ７）。
【００５４】
次に、ステップ５において、抽出されたグループ名と予測変換用語が表示されている状態で、ユーザが更に文字を入力する場合について述べる（ステップ６でＹＥＳ）。この場合、抽出部１３は、ステップ２において入力された文字とステップ６で入力した文字とを合わせた文字列に基づいて、再度、ステップ３における検索を行う。例えば、ステップ２においてユーザが入力した文字が「お」であり、ステップ６においてユーザが更に入力した文字が「と」である場合、抽出部１３は、「おと」を検索子として絵文字のグループ名及び用語を検索する。
【００５５】
一方、ユーザがステップ６において文字入力を行わずに（ステップ６においてＮＯ）、
第二表示領域に表示されたグループ名を選択した場合（ステップ８においてＹＥＳ）、選択されたグループに含まれる絵文字の一覧が第二表示領域に表示される（ステップ９）。そして、ユーザは、ステップ９において表示された絵文字の一覧から、作成する文書に挿入する絵文字を確定する（ステップ１０）。
【００５６】
また、ユーザがステップ８においてグループ名を選択しない場合（ステップ８においてＮＯ）は、次のようにして挿入文字が確定する。すなわち、ユーザが、第二表示領域に表示された予測変換用語を選択した場合には、選択された予測変換用語が、文書に挿入される挿入文字として確定する（ステップ７）。あるいは、ユーザが、第二表示領域に表示されているグループ名及び予測変換用語のいずれも選択せずに確定操作を行った場合には、その時点で第一表示領域に表示されている入力文字が、文書への挿入文字として確定する（ステップ７）。
【００５７】
そして、ステップ７あるいはステップ８において、文書に挿入することが確定した文字あるいは絵文字は、第一表示領域に表示された文書に挿入される（ステップ１１）。この時、第二表示領域に表示されていたグループ名あるいは予測変換用語は、第二表示領域から消える。
【００５８】
なお、ステップ１１において文書への挿入が完了すると、文書作成機能は、再びユーザによる文字の入力を待つ状態へと戻る。そして、ユーザが文書作成機能を終了させるまで、ステップ２〜ステップ１１を繰り返す。
【００５９】
以上のように本実施形態においては、文中に絵文字を挿入したい場合に、絵文字専用のプログラムを起動させる操作や、絵文字専用のキーを押下する必要はない。また、絵文字の種類が多い場合でも、特定のグループに含まれる絵文字の一覧のみを表示させることができるので、全ての絵文字の一覧を表示する場合と比較して、ユーザが所望の絵文字を見つけやすい。
【００６０】
そのため、本実施形態における文字入力装置１０は、第１の実施形態と同様、簡易なユーザ操作で、文書中に所望の絵文字を挿入することが可能となる。
【００６１】
また、本実施形態においては、絵文字のグループ名に絵文字を含めることとした。これにより、例えば次に挙げるような効果が得られる。
【００６２】
１つ目の効果としては、抽出部１３によって抽出されたグループ名と予測変換用語とが第二表示領域に表示された時、ユーザは、どれが絵文字のグループ名であるかをすぐに判別することができる。例えば、ユーザが「お」という文字を入力した場合、図６（ａ）に示すように、複数の単語が第二表示領域に表示される。この時、ユーザは、絵文字を見ることで、該絵文字が含まれる「おんぷ♪」が絵文字のグループ名であるとすぐに判別することができる。また、絵文字のグループ名を知らないユーザでも、絵文字を見ることで、それが絵文字のグループ名の一部であることを認識することができる。
【００６３】
２つ目の効果としては、抽出部１３が抽出した用語の中に、絵文字のグループ名の文字部分と共通する予測変換用語があった場合でも、ユーザは、絵文字のグループ名と予測変換用語と区別して利用することができる。例えば、ユーザが「お」と入力することで、抽出部１３が、絵文字記録部１２に記録された絵文字のグループ名と、用語記録部１５に記録されている「おんぷ」という用語をそれぞれ抽出したとする。この時、絵文字のグループ名が文字のみからなる「おんぷ」であった場合、第二表示領域には、グループ名である「おんぷ」と予測変換用語である「おんぷ」とがそれぞれ表示されることとなる。そのため、ユーザは、どちらの「おんぷ」が絵文字のグループ名に対応するものであるのか分からないため、どちらを選択すれば絵文字が表示されるのかが分からない。一方、本実施形態のように、絵文字のグループ名に絵文字を含めることとすれば、ユーザは、絵文字のグループ名と予測変換用語とを区別することができる。
【００６４】
なお、図６（ａ）において、表示部１４が、抽出部１３が抽出したグループ名を表示することなく、抽出したグループ名のグループに含まれる絵文字を、予測変換用語と共に表示することが考えられる。例えば、図９に示すように、ユーザが「お」と入力した場合、表示部１４は、「おんぷ♪」のグループに含まれる絵文字の一覧を、予測変換用語と共に表示する。この場合、ユーザがグループ名を選択する操作をすることなく、第二表示領域に絵文字が表示されることとなるので、より簡易なユーザ操作で絵文字の挿入が可能になるようにも思える。しかしながら、この場合、ユーザが絵文字のグループ名に含まれる文字を入力すると、ユーザが用語記録部１５に記録された用語を挿入しようとする場合でも、第二表示領域に絵文字の一覧が表示される。ここで、抽出部１３が抽出したグループ名のグループに含まれる絵文字の数が多い場合、第二表示領域の大部分は、絵文字で埋め尽くされることとなる。そのため、ユーザは絵文字を入力する意思がないにも関わらず、カーソルを大きく移動させないと、予測変換用語を選択できないという事態が生じ得る。
【００６５】
一方、本実施形態における表示部１４は、絵文字のグループ名と予測変換用語とを表示し、ユーザがグループ名を選択した場合にのみ絵文字の一覧を表示させることとした。そのため、絵文字の一覧の表示によって、ユーザによる予測変換用語の選択操作が妨げられることはない。
【００６６】
また、本実施形態における絵文字のグループ名に含まれる文字は平仮名としたが、これに限定されるものではない。すなわち、絵文字のグループ名に片仮名や漢字を含めることとしても良い。
【００６７】
しかしながら、一般に、ユーザが文書を作成する場合には平仮名入力となっている場合が多い。そのため、絵文字のグループ名に含まれる文字を片仮名や漢字のみで構成した場合、ユーザは、入力した平仮名を片仮名あるいは漢字に変換しなければ、抽出部１３は絵文字のグループ名を抽出することができない場合がある。そのため、抽出部１３が、ユーザが入力した平仮名から絵文字のグループ名が検索できるように、グループ名の文字部分は平仮名とすることが好ましい。これにより、ユーザが平文字の片仮名変換や漢字変換を行わなくても絵文字のグループ名が抽出されるので、より簡易なユーザ操作で絵文字の挿入が可能となる。
【００６８】
［第３の実施形態］
次に、本発明の第３の実施形態における文字入力装置の構成について説明する。
【００６９】
本実施形態における文字入力装置の構成は、第２の実施形態における文字入力装置２０と同様であるが、絵文字記録部１２よる絵文字の記録の仕方に特徴がある。
【００７０】
本実施形態における絵文字記録部１２は、絵文字及び絵文字のグループ名を、フォルダ構成で記録する。そして、絵文字記録部１２のフォルダ構成は、ユーザ操作によって表示部１４に表示させることができる。すなわち、ユーザは、絵文字記録部１２のフォルダ構成を確認することができる。
【００７１】
表示部１４表示される絵文字記録部１２のフォルダ構成の一例を図１０に示す。図１０（ａ）は、絵文字記録部１２に記録されたフォルダの一覧が表示されている状態を示す。なお、表示部１４に表示されるフォルダ名は、絵文字のグループ名に対応する。すなわち、本実施形態における絵文字記録部１２が記録する絵文字のグループ名がそのまま、フォルダ名に割り当てられることとする。
【００７２】
そして、図１０（ａ）に示すフォルダの配下には、そのフォルダのフォルダ名に対応するグループに含まれる絵文字が格納されている。例えば、図１０（ａ）に示すフォルダのうち、「おんぷ♪」のフォルダの配下には、図１０（ｂ）に示すように、「おんぷ♪」のグループに含まれる絵文字が格納されている。
【００７３】
以上のように、本実施形態における絵文字記録部１２には、絵文字のグループごとにフォルダが作成されており、そのフォルダのフォルダ名は、絵文字のグループ名に対応する。また、絵文字記録部１２のフォルダ構成はユーザ操作により表示部１４に表示させることができるため、ユーザは該フォルダ構成を確認することができる。
【００７４】
そのため、絵文字記録部１２に記録されている絵文字やそのグループ名を知らないユーザでも、絵文字記録部１２のフォルダ構成を確認することで、絵文字とそのグループ名を知ることができる。また、フォルダ名にも絵文字を含めることによって、ユーザが絵文字記録部１２のフォルダ構成を確認した時に、絵文字のグループ名を記憶し易くなる。すなわち、ユーザが絵文字記録部１２のフォルダ構成を確認した際に、単に文字のみで構成されているフォルダ名よりも、文字と絵文字との組み合わせで構成されているフォルダ名の方が、ユーザの記憶に残りやすい。例えば、「おんぷ」というフォルダ名とよりも、「おんぷ」と音符の絵文字である「♪」とを組み合わせた「おんぷ♪」というフォルダ名の方が、ユーザの記憶に残りやすい。このように、ユーザに記憶し易いフォルダ名とすることで、ユーザは、文書作成中に絵文字を挿入したいと考えた時、グループ名を思い出しやすくなる。
【００７５】
なお、絵文字記録部１２のフォルダ構成の一例を図１０に示したが、これに限らない。すなわち、絵文字記録部１２のフォルダ構成を、複数の階層をもつフォルダ構成とすることとしても良い。例えば、絵文字記録部１２には、図１１（ａ）で示す８個のフォルダが作成されることとしても良い。そして、図１１（ｂ）に示すように、図１１（ａ）に示す「デコレーション」のフォルダの配下に、フォルダ名が絵文字のグループ名と一致するフォルダが格納されることとしても良い。
【００７６】
更に、表示部１４に表示される絵文字記録部１２のフォルダ構成は、ユーザにより編集できるものとしても良い。そして、該フォルダ構成の編集に基づき、絵文字記録部１２が記録する絵文字のグループ構成も変更されるものとしても良い。
【００７７】
例えば、絵文字記録部１２に「ふゆ」「いべんと」という２つのフォルダが格納されており、「ふゆ」のフォルダに「お年玉」に関連する絵文字が格納されていることとする。ここで、表示部１４に表示されたフォルダ構成を編集して、「お年玉」に関連する絵文字を「ふゆ」のフォルダから「いべんと」のフォルダに移動させる操作を行う。
【００７８】
このように、ユーザがフォルダ構成を変更すると、絵文字記録部１２は、ユーザによるフォルダ構成の変更を、絵文字のグループ構成に反映させる。すなわち、ユーザが、「お年玉」に関連する絵文字を「いべんと」のフォルダに移動させる操作を行うと、絵文字記録部１２は、「お年玉」に関連する絵文字は「いべんと」のグループに含まれるものとして更新して記録する。これにより、ユーザによるフォルダの編集後、表示部１４が「いべんと」のグループに含まれる絵文字を第二表示領域に表示する場合、表示される絵文字には、お年玉に関連する絵文字が新たに含まれることとなる。
【００７９】
更に、ユーザが絵文字記録部１２のフォルダ構成に、新たなフォルダを追加できることとしてもよい。そして、追加した新たなフォルダに、他のフォルダに格納された絵文字を移動できることとしても良い。
【００８０】
そして、ユーザが新たなフォルダを追加すると、絵文字記録部１２は、該フォルダの追加を、絵文字のグループ構成に反映させる。すなわち、絵文字記録部１２は、ユーザにより追加されたフォルダのフォルダ名をグループ名とする新たなグループを記録する。そして、絵文字記録部１２は、新たなフォルダに格納された絵文字を、新たなグループに含まれる絵文字として記録する。
【００８１】
例えば、ユーザが「いつもの」というフォルダ名の新たなフォルダを作成し、作成した「いつもの」というフォルダに、他のフォルダから、ユーザが頻繁に使用する絵文字を移動させたとする。この場合、絵文字記録部１２は、「いつもの」というグループ名を新たに記録する。そして、該「いつもの」のグループに、「いつもの」のフォルダに格納された絵文字を含めるよう、更新して記録する。
【００８２】
これにより、ユーザが文書作成中に「いつもの」と入力すると、第二表示領域には「いつもの」というグループ名が表示されることとなる。そして、ユーザが第二表示領域に表示された「いつもの」というグループ名を選択すると、「いつもの」のフォルダに格納された、ユーザが頻繁に使用する絵文字が表示される。
【００８３】
以上のように、ユーザ操作に基づいて編集されるフォルダ構成を、絵文字記録部１２が記録する絵文字のグループ構成に反映させることで、ユーザは、絵文字記録部１２に記録された絵文字のグループ構成を任意に変更できる。すなわち、ユーザは、絵文字のグループ名を自分が覚えやすいグループ名に変更することや、自分が頻繁に使用する絵文字のみを含む新たなグループを作成することができる。そのため、文書に絵文字を挿入させる際のユーザの利便性が更に向上する。
【００８４】
［第４の実施形態］
次に、本発明の第４の実施形態における文字入力装置の構成について、図１２を用いて説明する。
【００８５】
本実施形態における文字入力装置３０は、第２の実施形態における文字入力装置２０に絵文字取得部１６が加わった構造を備える。
【００８６】
絵文字取得部１６は、絵文字記録部１２に記録されていない未登録絵文字を取得する。また、絵文字記録部１２は、絵文字取得部１６が取得した未登録絵文字を記録する。
【００８７】
本実施形態における文字入力装置３０において、絵文字取得部１６が取得した未登録絵文字を絵文字記録部１２に記録する動作について説明する。
【００８８】
初めに、絵文字取得部１６が絵文字記録部１２に記録されていない未登録絵文字を取得する。絵文字取得部１６による未登録絵文字の取得は、例えば、未登録絵文字が添付されたメールを受信することによって実現する。あるいは、絵文字取得部１６は、インターネット上から未登録絵文字をダウンロードすることにより、該未登録絵文字を取得しても良い。
【００８９】
そして、絵文字取得部１６が未登録絵文字を取得すると、絵文字記録部１２は、該未登録絵文字を記録する。ここで、絵文字取得部１６が取得した未登録絵文字を、絵文字記録部１２が記録する絵文字のグループのうち、どのグループに割り当てるかは、絵文字記録部１２が判断することとしても良い。すなわち、未登録絵文字の形状を判断して、類似する形状の絵文字に割り当てられている絵文字のグループに割り当てることとしても良い。
【００９０】
あるいは、未登録絵文字を割り当てるグループを次のようにして決定することとしても良い。
【００９１】
初めに、文字入力装置３０が、未登録絵文字が添付されたメールを受信し、絵文字取得部１６が該未登録絵文字を取得する。この時、表示部１４は、取得した未登録絵文字をどのフォルダに保存するかをユーザに選択させるための表示を行う。これにより、ユーザは、未登録絵文字を保存させるフォルダを決定することができる。そして、絵文字記録部１２は、ユーザが決定したフォルダ名からなるグループに、未登録絵文字を割り当てて保存する。ユーザ操作により未登録絵文字を登録する際の表示部１４の表示の一例を図１３に示す。
【００９２】
これにより、ユーザは、絵文字取得部１６が取得した未登録絵文字を、所望のグループに割り当てることができる。
【００９３】
なお、第１の実施形態乃至第４の実施形態に挙げた文字入力装置は、例えば、パソコン、携帯電話など、文書作成機能を備える装置に適用することができる。
【００９４】
また、第１の実施形態乃至第４の実施形態は、各実施形態の機能を実現するソフトウェアのプログラムコードを記録した記録媒体を装置に供給し、その装置のコンピュータが記録媒体に格納されたプログラムコードを読み出し実行することによっても、達成されることは言うまでもない。
【００９５】
なお、プログラムを供給する記録媒体としては、例えば、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）、光ディスク、磁気ディスク、不揮発性メモリカードなど、上記プログラムを記憶できるものであれば良い。
【００９６】
上記の実施形態の一部又は全部は、以下の付記のようにも記載されうるが、以下には限られない。
【００９７】
（付記１）文字を入力する入力部と、複数の絵文字と、前記絵文字のグループ名とを記録する絵文字記録部と、前記グループ名の中から、前記入力文字を含むグループ名を抽出する抽出部と、前記入力部に入力された入力文字を第一表示領域に表示し、前記抽出部により抽出されたグループ名を第二表示領域に表示する表示部と、を備え、前記表示部は、前記第二表示領域に表示されたグループ名のうち少なくとも一つが選択された場合、選択されたグループ名のグループに含まれる絵文字の一覧を前記第二表示領域に表示し、前記第二表示領域に表示された絵文字のうち少なくとも一つが選択された場合、選択された絵文字を、前記第一表示領域に、前記入力文字と置換して表示することを特徴とする文字入力装置。
【００９８】
（付記２）前記グループ名は、絵文字を含むことを特徴とする付記１に記載の文字入力装置。
【００９９】
（付記３）前記絵文字記録部に記録されていない未登録絵文字を取得する絵文字取得部を更に備え、前記絵文字記録部は、前記絵文字取得部が取得した前記未登録絵文字を記録することを特徴とする、付記１または２に記載の文字入力装置。
【０１００】
（付記４）前記絵文字記録部は、前記グループ名をフォルダ名とするフォルダを格納し、前記フォルダは、前記フォルダ名に対応するグループに含まれる絵文字を格納し、前記表示部は、所定のユーザ操作に基づいて、前記フォルダを表示することを特徴とする、付記１乃至３の何れか一つに記載の文字入力装置。
【０１０１】
（付記５）前記フォルダ名及び前記フォルダに格納される絵文字の種類は編集可能であり、前記グループ名及び前記グループに含まれる絵文字の種類は、前記フォルダ名及び前記フォルダに格納される絵文字の種類は編集に対応して変更することを特徴とする付記１乃至４の何れか一つに記載の文字入力装置。
【０１０２】
（付記６）複数の用語を記録する用語記録部と、を更に備え、前記抽出部は、前記入力文字から予測される変換用語である予測変換用語を前記用語記録部から抽出し、前記表示部は、前記抽出部により抽出された前記グループ名と前記予測変換用語とをそれぞれ、前記第二表示領域に表示することを特徴とする付記１乃至５の何れか一つに記載の文字入力装置。
【０１０３】
（付記７）文字を入力する入力工程と、複数の絵文字と、前記絵文字のグループ名とを記録する絵文字記録工程と、前記グループ名の中から、前記入力工程で入力された入力文字を含むグループ名を抽出する抽出工程と、前記入力文字を第一表示領域に表示し、前記抽出工程により抽出されたグループ名を第二表示領域に表示する第一の表示工程と、前記第二表示領域に表示されたグループ名のうち少なくとも一つが選択された場合、選択されたグループ名のグループに含まれる絵文字の一覧を前記第二表示領域に表示する第二の表示工程と、前記第二表示領域に表示された絵文字のうち少なくとも一つが選択された場合、選択された絵文字を、前記第一表示領域に、前記入力文字と置換して表示する第三の表示工程と、を有することを特徴とする文字入力方法。
【０１０４】
（付記８）前記グループ名は絵文字を含むことを特徴とする付記７に記載の文字入力方法。
【０１０５】
（付記９）前記絵文字記録工程において記録されていない未登録絵文字を取得する絵文字取得工程を更に備え、前記絵文字記録工程は、前記絵文字取得工程により取得された前記未登録絵文字を記録することを特徴とする付記７または８に記載の文字入力方法。
【０１０６】
（付記１０）前記グループ名がフォルダ名であり、前記フォルダ名に対応するグループに含まれる絵文字を格納するフォルダを格納する工程と、所定のユーザ操作に基づいて、前記フォルダを表示する第４の表示工程と、を更に有することを特徴とする、付記７乃至９の何れか一つに記載の文字入力方法。
【０１０７】
（付記１１）フォルダ名及び前記フォルダに格納される絵文字の種類を編集するフォルダ編集工程と、前記フォルダ編集工程による編集に基づいて、前記グループ名及び前記グループに含まれる絵文字の種類を編集するグループ編集工程と、を更に有することを特徴とする、付記７乃至１０の何れか一つに記載の文字入力方法。
【０１０８】
（付記１２）複数の用語を記録する用語記録工程を更に備え、前記抽出工程は、前記入力文字から予測される変換用語である予測変換用語を前記複数の用語から抽出し、前記第一の表示工程は、前記抽出工程により抽出された前記グループ名と前記予測変換用語とをそれぞれ、前記第二表示領域に表示することを特徴とする付記７乃至１１の何れか一つに記載の文字入力方法。
【０１０９】
（付記１３）文字を入力する入力工程と、複数の絵文字と、前記絵文字のグループ名とを記録する絵文字記録工程と、前記グループ名の中から、前記入力工程で入力された入力文字を含むグループ名を抽出する抽出工程と、前記入力文字を第一表示領域に表示し、前記抽出工程により抽出されたグループ名を第二表示領域に表示する第一の表示工程と、前記第二表示領域に表示されたグループ名のうち少なくとも一つが選択された場合、選択されたグループ名のグループに含まれる絵文字の一覧を前記第二表示領域に表示する第二の表示工程と、前記第二表示領域に表示された絵文字のうち少なくとも一つが選択された場合、選択された絵文字を、前記第一表示領域に、前記入力文字と置換して表示する第三の表示工程と、をコンピュータに実行させることを特徴とするプログラム。
【０１１０】
（付記１４）前記グループ名は絵文字を含むことを特徴とする付記１３に記載のプログラム。
【０１１１】
（付記１５）前記絵文字記録工程において記録されていない未登録絵文字を取得する絵文字取得工程を更にコンピュータに実行させ、前記絵文字記録工程は、前記絵文字取得工程により取得された前記未登録絵文字を記録することを特徴とする付記１３または１４に記載のプログラム。
【０１１２】
（付記１６）前記グループ名がフォルダ名であり、前記フォルダ名に対応するグループに含まれる絵文字を格納するフォルダを格納する工程と、所定のユーザ操作に基づいて、前記フォルダを表示する第４の表示工程と、を更にコンピュータに実行させることを特徴とする付記１３乃至１５の何れか一つに記載のプログラム。
【０１１３】
（付記１７）フォルダ名及び前記フォルダに格納される絵文字の種類を編集するフォルダ編集工程と、前記フォルダ編集工程による編集に基づいて、前記グループ名及び前記グループに含まれる絵文字の種類を編集するグループ編集工程と、を更にコンピュータに実行させることを特徴とする付記１３乃至１６の何れか一つに記載のプログラム。
【０１１４】
（付記１８）複数の用語を記録する用語記録工程を更にコンピュータに実行させ、前記抽出工程は、前記入力文字から予測される変換用語である予測変換用語を前記複数の用語から抽出し、前記第一の表示工程は、前記抽出工程により抽出された前記グループ名と前記予測変換用語とをそれぞれ、前記第二表示領域に表示することを特徴とする付記１３乃至１７の何れか一つに記載のプログラム。
【０１１５】
（付記１９）付記１３乃至１８の何れか一つに記載のプログラムを記録する記録媒体。
【符号の説明】
【０１１６】
１０、２０、３０  文字入力装置
１１  入力部
１２  絵文字記録部
１３  抽出部
１４  表示部
１５  用語記録部
１６  絵文字取得部
【図１】
0005521772.tif 000002
【図２】
0005521772.tif 000003
【図３】
0005521772.tif 000004
【図４】
0005521772.tif 000005
【図５】
0005521772.tif 000006
【図６】
0005521772.tif 000007
【図７】
0005521772.tif 000008
【図８】
0005521772.tif 000009
【図９】
0005521772.tif 000010
【図１０】
0005521772.tif 000011
【図１１】
0005521772.tif 000012
【図１２】
0005521772.tif 000013
【図１３】
0005521772.tif 000014